(57)【要約】【課題】放送エリアの異なる場所にある移動体端末からの録画指示に応答して番組録画装置が的確に番組の録画を行う。【解決手段】番組録画装置が属する第１テレビジョン放送エリアと移動体端末が属する第２テレビジョン放送エリアとが異なる場合、前記第２テレビジョン放送エリアにおける放送チャンネル番号に対応する番組と同じ内容で、かつ前記第１テレビジョン放送エリアで将来放送される番組の問い合わせを前記番組情報サーバに送信し、当該問い合わせに応答して前記番組情報サーバから送信される番組情報に基づいて当該番組の録画を予約する。【選択図】図１０
2006067374.tif 000002
【特許請求の範囲】
【請求項１】
移動体端末及びテレビジョン放送の番組に関する番組情報を管理する番組情報サーバにそれぞれ接続可能で、かつテレビジョン放送の番組を録画する番組録画装置であって、
当該番組録画装置が属する第１テレビジョン放送エリアを示すエリア情報を記憶する記憶手段と、
前記移動体端末の位置を示す位置情報及び前記移動体端末が属する第２テレビジョン放送エリアにおける特定の放送チャンネル番号を受信する受信手段と、
受信した前記位置情報が前記エリア情報内であるか否かを判断する判断手段と、
前記判断手段が前記エリア情報内であると判断した場合は、前記第１テレビジョン放送エリアにおける前記放送チャンネル番号に対応する番組の番組情報の問い合わせを前記番組情報サーバに送信するとともに、前記判断手段が前記エリア情報外であると判断した場合は、前記第２テレビジョン放送エリアにおける前記放送チャンネル番号に対応する番組と同じ内容で、かつ前記第１テレビジョン放送エリアで将来放送される番組の問い合わせを前記番組情報サーバに送信する送信手段と、
前記問い合わせに応答して前記番組情報サーバから送信される番組情報に基づいて当該番組の録画を予約することを特徴とする番組録画装置。
【請求項２】
テレビジョン放送の番組を録画する番組録画装置に接続され、テレビジョン放送の番組に関する番組情報を管理する番組情報サーバであって、
テレビジョン放送エリアと放送チャンネル番号に対応付けられた番組情報を蓄積する番組情報蓄積手段と、
前記番組録画装置から送信される２つのテレビジョン放送エリア情報と放送チャンネル番号と日時情報とに基づいて、一方のテレビジョン放送エリアにおける前記チャンネル番号に対応する番組と同じ番組情報を持ち、かつ他方のテレビジョン放送エリアにおいて前記日時以降に放送される番組を選出する選出手段と、
当該選出手段で選出した番組の番組情報を前記番組録画装置に送信する送信手段と、
を具備することを特徴とする番組情報サーバ。
【請求項３】
移動体通信網内の移動体端末と、テレビジョン放送の番組に関する番組情報を管理する番組情報サーバと、テレビジョン放送の番組を録画する番組録画装置との間でテレビジョン番組の録画を行う録画方法であって、
前記番組録画装置に自機が属する第１テレビジョン放送エリアを記憶する第１ステップと、
前記移動体端末が前記移動体通信網に対して、当該移動体端末が属する第２テレビジョン放送エリアにおける特定の放送チャンネル番号を送信する第２ステップと、
前記番組録画装置が前記移動体通信網から、前記放送チャンネル番号とともに前記移動体端末の位置情報を受信する第３ステップと、
前記番組録画装置が、前記位置情報が前記エリア情報内であるか否かを判断する第４ステップと、
当該第４ステップで一致すると判断した場合、前記番組録画装置が前記番組情報サーバに対して、前記第１テレビジョン放送エリアにおける前記放送チャンネル番号に対応する番組の問い合わせを送信するとともに、前記第４ステップで一致しないと判断した場合、前記番組録画装置が前記番組情報サーバに対して、前記第２テレビジョン放送エリアにおける前記放送チャンネル番号に対応する番組と同じ内容で、かつ前記第１テレビジョン放送エリアで将来放送される番組の問い合わせを送信する第５ステップと、
前記番組情報サーバが前記番組録画装置に対して、受信した問い合わせに応答して該当する番組の番組情報を送信する第６ステップと、
前記番組録画装置が、受信した番組情報に基づいて当該番組の録画を予約する第７ステップと、
を含むことを特徴とする録画方法。
【請求項４】
移動体通信網内の移動体端末と、テレビジョン放送の番組に関する番組情報を管理する番組情報サーバと、テレビジョン放送の番組を録画する番組録画装置との間でテレビジョン番組の録画を行う録画システムであって、
前記移動体端末は、前記移動体通信網に対して当該移動体端末が属する第２テレビジョン放送エリアにおける特定の放送チャンネル番号を送信する送信手段を具備し、
前記番組録画装置は、自機が属する第１テレビジョン放送エリアを記憶する記憶手段と、前記移動体通信網から前記放送チャンネル番号とともに前記移動体端末の位置情報を受信する受信手段と、前記位置情報が前記エリア情報内であるか否かを判断する判断手段と、当該判断の結果、前記エリア情報内であると判断した場合、前記番組録画装置が前記番組情報サーバに対して、前記第１テレビジョン放送エリアにおける前記放送チャンネル番号に対応する番組の問い合わせを送信するとともに、前記判断の結果、前記エリア情報外であると判断した場合は、前記番組録画装置が前記番組情報サーバに対して、前記第２テレビジョン放送エリアにおける前記放送チャンネル番号に対応する番組と同じ内容で、かつ前記第１テレビジョン放送エリアで将来放送される番組の問い合わせを送信する送信手段と、受信した番組情報に基づいて当該番組の録画の録画を予約する録画予約手段と、を具備し、
前記番組情報サーバは、前記番組録画装置に対して、受信した問い合わせに応答して該当する番組に関する番組情報を送信する送信手段を具備する
ことを特徴とする録画システム。
【発明の詳細な説明】
【技術分野】
【０００１】
本発明は、移動体通信網内の移動体端末からの指示で所望のテレビジョン放送の番組を録画することができる番組記録装置に関する。また、本発明は、移動体通信網内の移動体端末からの指示で番組記録装置に録画指示を出すことができる番組情報サーバに関する。さらに、本発明は、移動体端末網内の移動体端末と番組記録装置と番組情報サーバとの間で行うテレビジョン放送番組の録画方法に関する。
【背景技術】
【０００２】
従来、携帯電話機等の外部機器を使用して、家庭内に設置したビデオデッキ、ＤＶＤレコーダ、ＨＤＤレコーダ等の録画装置にテレビジョン放送番組の録画予約をすることができるシステムがあった。
【０００３】
例えば、特許文献１には、インターネット等のネットワークを利用して携帯電話機等により所望のテレビ放送番組を録画することができるシステムが開示されており、このシステムによれば、ネットワークを介して接続された番組録画装置に対して情報通信端末からテレビジョン放送番組の予約録画を指示することで、番組録画装置がテレビジョン放送番組の録画を行うようになっている。
【０００４】
ところで、例えば、現在日本国において運用されているアナログ方式のテレビジョン放送システムでは、関東地域所在のキー局と関西地域所在の準キー局とその他の地域をカバーするローカル局とがテレビジョン放送ネットワークを形成しており、キー局が製作した番組を同一の放送ネットワークに属する準キー局及びローカル局が譲り受けて、週遅れで放送したり、放送曜日をずらしたりして放送することや、逆に、ローカル局が製作した番組を同一の放送ネットワークに属するキー局及び準キー局が譲り受けて放送するといったことが一般的に行われている。
【０００５】
また、異なる放送ネットワークに属する他のテレビ局が製作した番組を譲り受けたり、買い取ったりして、放送日時をずらして番組を放送することも行われている。
【０００６】
さらに、いずれのキー局や準キー局にも属することなく、特定の地域のみをカバーして番組を放送する独立ローカル局も存在する。
【０００７】
そして、テレビジョン放送を視聴する場合、各テレビ局（キー局、準キー局、又はローカル局）に割り当てられたチャンネルにチューニングして所望のテレビ局が放送する番組を受信するようにするのが一般的である。
【特許文献１】特開２００２−１８５９００号公報
【発明の開示】
【発明が解決しようとする課題】
【０００８】
ところが、上記のような放送ネットワークのシステムのために、以下のような課題があった。すなわち、同一の放送ネットワークに属するキー局と準キー局とローカル局であっても、それぞれが異なるチャンネルに割り当てられていることが多く、例えば、あるキー局では４チャンネルで受信可能なのに対し、このキー局と同一の放送ネットワークに属するローカル局では１０チャンネルで受信可能であったりすることが多い。
【０００９】
また、独立ローカル局の放送番組は、特定の地域であるチャンネルに割り当てられているが、放送エリアが変われば、同じチャンネルには別のテレビ局の番組が放送されていることになる。
【００１０】
このように放送エリアによって使用チャンネルに割り当てられたテレビ局が異なることによって、特許文献１のようなシステムでは次のような問題が起こり得る。すなわち、例えば、情報通信端末がテレビジョン放送番組の予約録画の指示を送信するとき、情報通信端末が関西地域にあって、番組録画装置が設置してある自宅は関東地域にあり、情報通信端末がいる関西地域をカバーする放送エリアと番組録画装置が設置された関西地域をカバーする放送エリアとが異なる。この場合、情報通信端末のユーザが位置する関西地域で把握しているチャンネルに対応する番組が、実際の録画処理を行う番組録画装置側（関東地域）では受信できずに、同じチャンネル番号でも別の番組を録画してしまい、このため、ユーザが所望の番組を録画できないという課題があった。例えば、関東地域所在の自宅内に番組録画装置を設置しているユーザが関西地域で情報通信端末を持って、４チャンネルにセットして視聴している番組の録画指示を送信しようとする場合、関西地域ではユーザがある放送エリア（Ａ）に属する準キー局の番組（Ａ）を視聴できているのに対し、関東地域では４チャンネルで放送エリア（Ｂ）に属するキー局が放送する番組（Ｂ）が受信されることがあり、このような場合、ユーザが関西地域で視聴している４チャンネルの番組を関東地域にある番組録画装置に録画させることは不可能である。
【００１１】
このように、放送エリアの異なる場所にある移動体端末からの録画指示に応答して番組録画装置が的確に番組の録画を行うことができなかった。
【００１２】
また、別の課題として、情報通信端末が属する放送エリアと番組録画装置が設置された場所が属する放送エリアとが一致する場合、ユーザが所望の番組の録画を開始することはできるが、その番組の終了時間が分からないため、録画の終了を自動的に行うことはできなかった。
【００１３】
そこで、本発明の目的は、放送エリアの異なる場所にある移動体端末からの録画指示に応答して番組録画装置が的確に番組の録画を行うことができるようにすることである。
【課題を解決するための手段】
【００１４】
上記課題を解決するために、本発明の番組録画装置は、移動体端末及びテレビジョン放送の番組に関する番組情報を管理する番組情報サーバにそれぞれ接続可能で、かつテレビジョン放送の番組を録画する番組録画装置であって、当該番組録画装置が属する第１テレビジョン放送エリアを示すエリア情報を記憶する記憶手段と、前記移動体端末の位置を示す位置情報及び前記移動体端末が属する第２テレビジョン放送エリアにおける特定の放送チャンネル番号を受信する受信手段と、受信した前記位置情報が前記エリア情報内であるか否かを判断する判断手段と、前記判断手段が前記エリア情報内であると判断した場合は、前記第１テレビジョン放送エリアにおける前記放送チャンネル番号に対応する番組の番組情報の問い合わせを前記番組情報サーバに送信するとともに、前記判断手段が前記エリア情報外であると判断した場合は、前記第２テレビジョン放送エリアにおける前記放送チャンネル番号に対応する番組と同じ内容で、かつ前記第１テレビジョン放送エリアで将来放送される番組の問い合わせを前記番組情報サーバに送信する送信手段と、前記問い合わせに応答して前記番組情報サーバから送信される番組情報に基づいて当該番組の録画を予約することを特徴とする。
【００１５】
また、本発明の番組情報サーバは、テレビジョン放送の番組を録画する番組録画装置に接続され、テレビジョン放送の番組に関する番組情報を管理する番組情報サーバであって、
テレビジョン放送エリアと放送チャンネル番号に対応付けられた番組情報を蓄積する番組情報蓄積手段と、前記番組録画装置から送信される２つのテレビジョン放送エリア情報と放送チャンネル番号と日時情報とに基づいて、一方のテレビジョン放送エリアにおける前記チャンネル番号に対応する番組と同じ番組情報を持ち、かつ他方のテレビジョン放送エリアにおいて前記日時以降に放送される番組を選出する選出手段と、当該選出手段で選出した番組の番組情報を前記番組録画装置に送信する送信手段と、を具備することを特徴とする。
【００１６】
また、本発明の録画方法は、移動体通信網内の移動体端末と、テレビジョン放送の番組に関する番組情報を管理する番組情報サーバと、テレビジョン放送の番組を録画する番組録画装置との間でテレビジョン番組の録画を行う録画方法であって、前記番組録画装置に自機が属する第１テレビジョン放送エリアを記憶する第１ステップと、前記移動体端末が前記移動体通信網に対して、当該移動体端末が属する第２テレビジョン放送エリアにおける特定の放送チャンネル番号を送信する第２ステップと、前記番組録画装置が前記移動体通信網から、前記放送チャンネル番号とともに前記移動体端末の位置情報を受信する第３ステップと、前記番組録画装置が、前記位置情報が前記エリア情報内であるか否かを判断する第４ステップと、当該第４ステップで一致すると判断した場合、前記番組録画装置が前記番組情報サーバに対して、前記第１テレビジョン放送エリアにおける前記放送チャンネル番号に対応する番組の問い合わせを送信するとともに、前記第４ステップで一致しないと判断した場合、前記番組録画装置が前記番組情報サーバに対して、前記第２テレビジョン放送エリアにおける前記放送チャンネル番号に対応する番組と同じ内容で、かつ前記第１テレビジョン放送エリアで将来放送される番組の問い合わせを送信する第５ステップと、前記番組情報サーバが前記番組録画装置に対して、受信した問い合わせに応答して該当する番組の番組情報を送信する第６ステップと、前記番組録画装置が、受信した番組情報に基づいて当該番組の録画を予約する第７ステップと、を含むことを特徴とする。
【００１７】
また、本発明の録画システムは、移動体通信網内の移動体端末と、テレビジョン放送の番組に関する番組情報を管理する番組情報サーバと、テレビジョン放送の番組を録画する番組録画装置との間でテレビジョン番組の録画を行う録画システムであって、前記移動体端末は、前記移動体通信網に対して当該移動体端末が属する第２テレビジョン放送エリアにおける特定の放送チャンネル番号を送信する送信手段を具備し、前記番組録画装置は、自機が属する第１テレビジョン放送エリアを記憶する記憶手段と、前記移動体通信網から前記放送チャンネル番号とともに前記移動体端末の位置情報を受信する受信手段と、前記位置情報が前記エリア情報内であるか否かを判断する判断手段と、当該判断の結果、前記エリア情報内であると判断した場合、前記番組録画装置が前記番組情報サーバに対して、前記第１テレビジョン放送エリアにおける前記放送チャンネル番号に対応する番組の問い合わせを送信するとともに、前記判断の結果、前記エリア外であると判断した場合は、前記番組録画装置が前記番組情報サーバに対して、前記第２テレビジョン放送エリアにおける前記放送チャンネル番号に対応する番組と同じ内容で、かつ前記第１テレビジョン放送エリアで将来放送される番組の問い合わせを送信する送信手段と、受信した番組情報に基づいて当該番組の録画の録画を予約する録画予約手段と、を具備し、前記番組情報サーバは、前記番組録画装置に対して、受信した問い合わせに応答して該当する番組に関する番組情報を送信する送信手段を具備することを特徴とする。
【発明の効果】
【００１８】
本発明によれば、移動体端末上でユーザが視聴している所望のテレビジョン番組を録画装置で録画する際に、その録画装置の放送エリアと移動体端末の放送エリアとの一致／不一致に関わらず、ユーザは番組のチャンネル番号を入力するだけで的確に録画することができる。
【００１９】
本発明によれば、移動体端末上でユーザが視聴している所望のテレビジョン番組を、放送エリアの異なる場所にある番組録画装置で的確に録画することができる。
【発明を実施するための最良の形態】
【００２０】
以下、本発明の実施の形態を図面に基づいて説明する。
【００２１】
図１乃至図３は、本発明のテレビジョン放送の番組に関する番組情報を管理する番組情報サーバ１００と、テレビジョン放送の番組を録画する番組録画装置２００とを含むシステムを示す概略図である。なお、本は実施の形態では、地上波アナログ放送を例に説明する。
【００２２】
まず、図１を参照すると、テレビジョン放送局（Ａ）３００に接続された番組情報サーバ１００と、基地局６００、制御局６１０、及び移動体端末７００を含む移動体通信網５００と、ユーザの自宅９００内に設置されてテレビ受像機４００と接続された番組録画装置２００とが、公衆通信網８００に接続されている。また、テレビジョン放送局（Ａ）３００は、テレビ塔（Ａ）３１０，３２０と接続しており、テレビ塔（Ａ）３１０，３２０はそれぞれテレビ受像機４００と移動体端末７００に接続している。
【００２３】
また、図２を参照すると、テレビジョン放送局（Ａ）３００及びテレビジョン放送局（Ｂ）に接続された番組情報サーバ１００と、基地局６００、制御局６１０、ＨＬＲ６２０及び移動体端末７００を含む移動体通信網５００と、ユーザの自宅９００内に設置されてテレビ受像機４００と接続された番組録画装置２００とが、公衆通信網８００に接続されている。また、テレビジョン放送局（Ａ）３００は、テレビ塔（Ａ）３１０に接続しており、テレビ塔（Ａ）３１０はテレビ受像機４００に接続している。さらに、テレビジョン放送局（Ｂ）１０００は、テレビ塔（Ｂ）１０１０に接続しており、テレビ塔（Ｂ）１０１０は移動体端末７００に接続している。
【００２４】
ここで、図３を参照し、テレビジョン放送局（Ａ）３００、テレビ塔（Ａ）３１０、テレビジョン放送局（Ｂ）１０００、及びテレビ塔（Ｂ）１０１０の関係を具体的に説明する。Ｊは概略的に書いた日本地図である。すなわち、Ｊ１は九州地方を、Ｊ２は本州を、Ｊ３は四国を、Ｊ４は北海道を、それぞれ示している。この中で、テレビジョン放送局（Ａ）３００及びテレビ塔（Ａ）３１０は本州Ｊ２の関東地方に所在し、テレビジョン放送エリア（Ａ）に番組を提供している。一方、テレビジョン放送局（Ｂ）１０００及びテレビ塔（Ｂ）１０１０は本州Ｊ２の関西地方に所在し、テレビジョン放送エリア（Ｂ）に番組を提供している。そして、テレビジョン放送局（Ａ）３００とテレビジョン放送局（Ｂ）１０００がそれぞれ番組情報サーバ１００に接続している。
【００２５】
そして、本実施の形態では、テレビジョン放送局（Ａ）３００とテレビジョン放送局（Ｂ）１０００とは、同一のテレビジョン放送ネットワークに属し、それぞれキー局と準キー局という関係にあるとする。すなわち、キー局であるテレビジョン放送局（Ａ）で製作された番組と準キー局であるテレビジョン放送局（Ｂ）１０００が製作した番組とを譲渡しあう、又は売買しあう関係にあり、テレビジョン放送局（Ａ）３００とテレビジョン放送局（Ｂ）１０００とが異なる日時に同一の番組を放送することがあるという関係である。
【００２６】
したがって、図１に示す例では、ユーザの自宅９００と移動体端末７００ともに同一のテレビジョン放送エリア（Ａ）３００内に位置する例を示しており、一方、図２に示す例では、ユーザの自宅９００はテレビジョン放送エリア（Ａ）３００内に位置するが、移動体端末７００はテレビジョン放送エリア（Ｂ）に位置する例を示している。
【００２７】
次に、図１乃至図３に示す各構成について、詳細に説明する。
【００２８】
図４乃至図６は、それぞれ移動体端末７００、番組情報サーバ１００、及び番組録画装置２００の構成を示す概略図である。
【００２９】
図４を参照すると、移動体端末７００は、アンテナ７０１、無線部７０２、受話部７０３、送話部７０４、入力部７０５、表示部７０６、放送用アンテナ７０７、テレビジョン受信部７０８、及びシステム制御部７０９を備える。
【００３０】
アンテナ７０１は、基地局６００と無線接続し、互いに情報のやり取りを行う。
【００３１】
無線部７０２は、アンテナ７０１から受信した電気信号の復調処理やアンテナ７０１へ送信するデジタル信号の変調処理を行う。
【００３２】
受話部７０３は、音声通信の際、通話相手の音声を放音する。
【００３３】
送話部７０４は、音声通信の際、ユーザの音声を集音する。
【００３４】
入力部７０５は、テンキー等から成り、ユーザが入力操作を行う。
【００３５】
表示部７０６は、液晶表示装置等から成り、ユーザに対して視覚的に情報の伝達を行う。
【００３６】
放送アンテナ７０７は、テレビジョン放送局（Ａ）３００及びテレビジョン放送局（Ｂ）１０００を含む各テレビジョン放送局から放送される番組の電波を受信する。
【００３７】
テレビジョン受信部７０８は、放送アンテナ７０７が受信した電波を復調し、テレビジョン放送番組の映像を取得する。
【００３８】
システム制御部７０９は、上記の各構成要素７０２乃至７０６、及び７０８と接続し、これら各構成要素が行う処理を制御することで移動体端末７００全体を制御する。
【００３９】
図５を参照すると、番組情報サーバ１００は、専用線通信部１０１、記憶部１０２（番組情報蓄積手段）、通信部１０３（送信手段）、及びシステム制御部１０４（選出手段）を備える。
【００４０】
専用線通信部１０１は、クローズされた専用線を介してテレビジョン放送局と接続され、それぞれのテレビジョン放送局が放送する番組の情報を取得するようになっており、本実施形態では、少なくともテレビジョン放送局（Ａ）３００及び（Ｂ）１０００と接続されている例を示す。
【００４１】
記憶部１０２は、専用線通信部１０１で取得した各テレビジョン放送局が放送する番組の情報を記憶する。
【００４２】
ここで、記憶部１０２では、具体的には図７に示すように、日付とテレビジョン放送局ごとに保存されており、さらに、それらは図８に示すように、テレビジョン放送局と放送時間帯ごとに放送される番組が整理された番組表Ｐの形で保存されている。より具体的には、番組０１のように、その番組のタイトル（お笑いテレビＡ  第１７回）やその番組の出演者（司会：○○○，ゲスト：△△△）といった、その番組を特定するための情報が各番組ごとにリスト化されている。ここでは、番組０１以外の番組の詳細な情報は割愛する。図８（ａ）の例では、番組表Ｐの一部として、関東地方を番組放送エリアとするテレビジョン放送局（Ａ）３００とテレビジョン放送局（Ｘ）の情報を図示しており、図８（ｂ）の例では、番組表Ｐの一部として、関西地方を番組放送エリアとするテレビジョン放送局（Ｂ）１０００とそのテレビジョン放送局（Ｙ）の情報を図示している。なお、日本国内に存在する他のテレビジョン放送局が放送する番組の情報は図示していないが、図７及び８同様に記憶している。
【００４３】
通信部１０３は、公衆通信網８００を介して後述する番組録画装置２００と接続し、記憶部１０２に記憶している番組表Ｐを番組録画装置２００に送信する。
【００４４】
システム制御部１０４は、上記の各構成要素１０１乃至１０３と接続され、これら各構成要素１０１乃至１０３が行う処理を制御することで番組情報サーバ１００全体を制御する。
【００４５】
図６を参照すると、番組録画装置２００は、通信部２０１（受信手段、送信手段）、録画部２０２（録画手段）、記憶部２０３（記憶手段）、及びシステム制御部２０４（判断手段）を備える。
【００４６】
通信部２０１は、公衆通信網８００を介して番組情報サーバ１００と通信し、番組情報サーバ１０００から番組表Ｐを取得する。また、公衆通信回線網８００を介して基地局６００から送信されるテレビジョン番組の録画指示を受信する。
【００４７】
記憶部２０３は、通信部２０１で取得した番組表Ｐを記憶する。また、自機が属するテレビジョン放送エリアを示すエリア情報を予め記憶している。このエリア情報は、例えば、予め日本全国のテレビジョン放送エリアを都道府県や市町村等の住所と対応付けられて記憶しておいた一覧の中からユーザが所定の操作により選択する。図１及び図２に示す例では、エリア情報としてテレビジョン放送エリア（Ａ）を記憶している。
【００４８】
録画部２０２は、通信部２０１で受信したテレビジョン番組の録画指示に基づいて、番組録画装置２００と接続されたテレビ受像機４００からテレビジョン放送番組の映像を取得して録画する。
【００４９】
以上、移動体端末７００、番組情報サーバ１００、及び番組録画装置２００について簡単に説明した。次に、これらの各構成要素のこのテレビジョン放送システム上における動作について説明する。
【００５０】
＜第１の動作＞
まず、図１に示すように、ユーザの自宅９００と移動体端末７００ともに同一のテレビジョン放送エリア（Ａ）３００内にある場合について、図１０のシーケンシャル図に基づいて説明する。
【００５１】
この時点における日時が西暦２００４年６月１日の９：１０であるとする。この日時において、ユーザは移動体端末７００上で４チャンネルを選択して、テレビジョン放送局（Ａ）が放送する番組０１（お笑いテレビＡ  第１７回）を視聴しているとする。チャンネルの選択は、ユーザが入力部７０５から所定のキーを操作して選択する。
【００５２】
ここで、ユーザが視聴中の番組０１を録画したいと思ったとき、ユーザは、入力部７０５から所定の操作を行って自宅９００内に設置している番組録画装置２００にテレビジョン放送番組の録画指示を出す。例えば、ユーザが所定の操作を行うと、システム制御部７０９が、例えば図９（ａ）に示すようなリクエストメッセージＲＭを作成する（Ｓ１）。このリクエストメッセージＲＭには、ユーザ側の移動体端末７００に割り当てられている電子メールアドレスＡ１と、番組録画装置２００に割り当てられている電子メールアドレスＡ２と、リクエストメッセージＲＭの送信日時Ｄと、テレビジョン放送番組の録画指示であることを示すヘッダＨと、録画したいテレビジョン放送番組のチャンネル番号Ｃ（４チャンネル）が含まれている。
【００５３】
リクエストメッセージＲＭが作成されると、無線部７０２及びアンテナ７０１を介して基地局６００に送信される（Ｓ２）。リクエストメッセージＲＭを受取った基地局６００は、移動体端末７００が位置する地域を示す位置情報として、自局の位置情報を示す基地局ＩＤを自局の記憶部（図示しない）から取得し（Ｓ３）、公衆通信網８００を介してリクエストメッセージＲＭ及び基地局ＩＤ（位置情報）を番組録画装置２００に送信する（Ｓ４）。
【００５４】
リクエストメッセージＲＭ及び基地局ＩＤを受信した番組録画装置２００は、受信した基地局ＩＤが示す位置情報が記憶部２０３に記憶してあるエリア情報、すなわち、テレビジョン放送エリア（Ａ）に含まれるか否かを調べることによって、移動体端末７００が属するテレビジョン放送エリアと番組録画装置２００が属するテレビジョン放送エリア（Ａ）とが一致するか否かを判断する（Ｓ５）。図１の例では、移動体端末７００と自宅９００ともにテレビジョン放送エリア（Ａ）に属しているため、Ｓ５にて、受信した位置情報がテレビジョン放送エリア（Ａ）に含まれると判断される。このように判断されると、番組録画装置２００は、通信部２０１を介して番組情報サーバ１００に問い合わせして（Ｓ６）記憶部１０２に記憶されている番組表Ｐを参照し、番組０１の終了時間の情報（９：５０）を取得し（Ｓ７）、記憶部２０３に記憶する（Ｓ８）。そして、録画部２０２は、接続されたテレビ受像機４００を起動して、リクエストメッセージＲＭに含まれるチャンネル番号Ｃ（４チャンネル）の映像を取得し、番組の終了時間まで、すなわち、９：５０まで映像を記憶部２０３に記憶（録画）する（Ｓ９）。
【００５５】
以上のように、Ｓ５での判断によって、移動体端末７００で受信可能なテレビジョン放送エリアと番組録画装置２００が設置された自宅９００内で受信可能なテレビジョン放送エリアとが一致している場合、移動体端末７００から録画指示のあった番組０１が番組録画装置２００で録画可能であることが分かるので、移動体端末７００からは番組録画装置２００にチャンネル番号Ｃと日時Ｄとを通知するだけで、ユーザが録画したい番組０１を録画することができる。
【００５６】
なお、第１の動作では、移動体端末７００の位置情報を知るために基地局６００の位置情報を利用している。これは、基地局６００の位置情報が分かれば、この基地局６００に接続されている移動体端末７００が位置する都道府県や市町村等の大まかな位置が分かるためである。より詳細な位置情報を知るには、基地局ＩＤではなく、例えば、移動体通信網５００内にあるホームロケーションレジスタ（ＨＬＲ）６２０に登録されている、基地局６００の位置情報を参照するようにしてもよい。
【００５７】
＜第２の動作＞
次に、図２に示すように、番組録画装置２００はテレビジョン放送エリア（Ａ）３００内に位置するが、移動体端末７００はテレビジョン放送エリア（Ｂ）に位置する場合について、図１１のシーケンシャル図に基づいて説明する。
【００５８】
ここでは、現在の状況が西暦２００４年５月２８日の１８：１０であるとする。この日時において、ユーザは移動体端末７００上で１０チャンネルを選択して、テレビジョン放送局（Ｂ）が放送する番組０１（お笑いテレビＡ  第１７回）を視聴している。チャンネルの選択は、ユーザが入力部７０５から所定のキーを操作して選択する。
【００５９】
今、ユーザが視聴中の番組０１を録画したいと思ったとき、ユーザは、入力部７０５から所定の操作を行って自宅９００内に設置している番組録画装置２００にテレビジョン放送番組の録画指示を出す。ユーザが所定の操作を行うと、システム制御部７０９が、例えば図９（ｂ）に示すようなリクエストメッセージＲＭを作成する（Ｓ１０）。このリクエストメッセージＲＭには、ユーザ側の移動体端末７００に割り当てられている電子メールアドレスＡ１と、番組録画装置２００に割り当てられている電子メールアドレスＡ２と、リクエストメッセージＲＭの送信日時Ｄと、テレビジョン放送番組の録画指示であることを示すヘッダＨと、録画したいテレビジョン放送番組のチャンネル番号Ｃ（１０チャンネル）が含まれている。
【００６０】
リクエストメッセージＲＭが作成されると、無線部７０２及びアンテナ７０１を介して基地局６００に送信される（Ｓ１１）。リクエストメッセージＲＭを受取った基地局６００は、移動体端末７００が位置する地域を示す位置情報として、自局の位置情報を示す基地局ＩＤを自局の記憶部（図示しない）から取得し（Ｓ１２）、公衆通信網８００を介してリクエストメッセージＲＭ及び基地局ＩＤ（位置情報）を番組録画装置２００に送信する（Ｓ１３）。
【００６１】
リクエストメッセージＲＭ及び基地局ＩＤを受信した番組録画装置２００は、受信した基地局ＩＤが示す位置情報が記憶部２０３に記憶してあるエリア情報、すなわち、テレビジョン放送エリア（Ａ）に含まれるか否かを調べることによって、移動体端末７００が属するテレビジョン放送エリアと番組録画装置２００が属するテレビジョン放送エリア（Ａ）とが一致するか否かを判断する（Ｓ１４）。図２の例では、移動体端末７００はテレビジョン放送エリア（Ｂ）に属している一方で、自宅９００はテレビジョン放送エリア（Ａ）に属しているため、Ｓ５にて、受信した位置情報はテレビジョン放送エリア（Ａ）に含まれないと判断される。このように判断されると、番組録画装置２００は、リクエストメッセージＲＭにより録画指示された番組がテレビジョン放送エリア（Ａ）で将来放送されるか否かを、番組情報サーバ１００に対して問い合わせる。
【００６２】
具体的には、まず、番組録画装置２００は、例えば、記憶部２０３に予め記憶されている日本全国のテレビジョン放送エリアに対応付けられている住所（都道府県や市町村等）と基地局ＩＤに示される位置情報（都道府県や市町村等）とを比較することで、移動体端末７００がどのテレビジョン放送エリアに属するのかを割り出す（Ｓ１５）。図２の例では、テレビジョン放送エリア（Ｂ）である。次に、割り出したテレビジョン放送エリア（テレビジョン放送エリア（Ｂ））の情報と、リクエストメッセージＲＭに含まれる送信日時Ｄとチャンネル番号Ｃと、自機が属するテレビジョン放送エリアを示すエリア情報（テレビジョン放送エリア（Ａ））とを、番組情報サーバに対して送信し、録画指示されているテレビジョン放送番組の情報を問い合わせる（Ｓ１６）。問い合わせを受信した番組情報サーバ１００は、記憶部１０２に記憶している番組表Ｐを参照し、受信したテレビジョン放送エリア（テレビジョン放送エリア（Ｂ））と送信日時Ｄとチャンネル番号Ｃ（Ｃｈ ＝ １０）とに基づいて、録画を指示されている番組の番組情報を割り出す（Ｓ１７）。図２の例では、図８の番組表Ｐを参照すると、放送エリアＢにおいて西暦２００４年５月２８日の１８：１０に放送されているのは、番組０１「お笑いテレビＡ  第１７回  司会：○○○、ゲスト：△△△」であることがわかる。続いて、番組情報サーバ１００は、さらに番組表Ｐを参照し、割り出した番組情報と同じ情報を持つ番組がテレビジョン放送エリア（Ａ）にあるか否かを判断する（Ｓ１８）。この判断には、例えば、テキスト検索の手法を用いればよい。図２の例では、図８に示すように、テレビジョン放送エリア（Ａ）において西暦２００４年６月１日の９：００−１０：００の時間帯に４チャンネル（テレビジョン放送局（Ａ））で、割り出した番組情報と同じ情報を持つ番組０１「お笑いテレビＡ  第１７回  司会：○○○、ゲスト：△△△」が放送されることがわかる。このように判断すると、番組情報サーバ１００は、テレビジョン放送エリア（Ａ）において番組０１が放送されるバラメータ、すなわち、放送日時（西暦２００４年６月１日）とチャンネル番号（４）を示すメッセージを作成し（Ｓ１９）、通信部１０３を介して番組録画装置２００に送信する（Ｓ２１）。
【００６３】
そして、放送日時とチャンネル番号を示すメッセージを受信した番組録画装置２００は、自機が属するテレビジョン放送エリア（Ａ）において、メッセージ中の放送日時とチャンネル番号に基づいてタイマー録画予約をセットする（Ｓ２２）。
【００６４】
一方、Ｓ１８にて、割り出した番組情報と同じ情報を持つ番組がテレビジョン放送エリア（Ａ）にはないと判断した場合は、番組録画装置２００では番組０１が録画できないため、その旨を示すエラーメッセージを作成し（Ｓ２０）、通信部１０３を介して番組録画装置２００に送信する（Ｓ２１）。エラーメッセージを受信した番組録画装置２００は、そのまま何の処理を行わなくてもよいし、通信部１０１を介して移動体端末７００に録画できない旨の通知を送信するようにしてもよい。
【００６５】
以上のように、移動体端末７００で受信可能なテレビジョン放送エリア（テレビジョン放送エリア（Ｂ））と番組録画装置２００が設置された自宅９００で受信可能なテレビジョン放送エリア（テレビジョン放送エリア（Ａ））とが一致せず、これにより、移動体端末７００から録画指示のあった番組０１が番組録画装置２００で録画できない場合であっても、将来、テレビジョン放送エリア（Ａ）で同じ番組０１が放送されるかどうかを判断し、放送される場合には、その日時とチャンネルに合わせてタイマー録画予約することができる。
【００６６】
このように、第１の動作例と第２の動作例で説明したように、移動体端末で視聴中のテレビジョン放送番組０１を遠隔操作により自宅の番組録画装置に録画させる場合、移動体端末と番組録画装置とが同じテレビジョン放送エリアに属する場合には、そのまま番組０１のチャンネル番号を通知することで速やかに録画させることができ、また、移動体端末と番組録画装置とが異なるテレビジョン放送エリアに属する場合であっても、番組録画装置が属するテレビジョン放送エリアで将来番組０１が放送されるのであれば、その日時とチャンネルに合わせてタイマー録画予約させることができる。
【００６７】
これは、キー局と準キー局との関係やキー局と地方局との関係のように、テレビジョン放送番組の相互提供関係にある場合など、日時をずらして異なるテレビジョン放送エリアに対して同じテレビジョン放送番組画を放送している番組の録画に特に有用である。
【００６８】
なお、第２の動作では、移動体端末７００の位置情報を知るために基地局６００の位置情報を利用している。これは、基地局６００の位置情報が分かれば、この基地局６００に接続されている移動体端末７００が位置する都道府県や市町村等の大まかな位置が分かるためである。より詳細な位置情報を知るには、基地局ＩＤではなく、例えば、移動体通信網５００内にあるホームロケーションレジスタ（ＨＬＲ）６２０に登録されている、基地局６００の位置情報を参照するようにしてもよい。
【００６９】
以上、図１乃至図１１に基づいて、本発明の実施形態ついて説明したが、本発明の実施形態はこれらに限定されるものではなく、本発明の請求項に記載されている技術思想の範囲内において、種々の変更が可能なのはいうまでもない。
【００７０】
例えば、上記実施の形態では、関東地域をカバーするテレビジョン放送エリア（Ａ）と関西地方をカバーするテレビジョン放送エリア（Ｂ）とでの番組録画処理について例示したが、この他、東海地方をカバーするエリアや九州地方をカバーするエリアなど、日本全国に存在するテレビジョン放送エリア間での番組録画処理においても適用可能なことはいうまでもない。
【００７１】
さらには、日本国に限定されることもなく、米国や中国などの諸外国においても、テレビジョン放送局が対応するテレビジョン放送エリアに対してテレビジョン番組を放送するというテレビジョン放送網システムが存在している限り、本発明が適用可能なことはいうまでもない。
【００７２】
また、例えば、上記実施の形態では、番組録画サーバとテレビジョン放送局とが専用線を介して接続されている例を示したが、この他、インターネット網を含む公衆通信網を介して接続されていてもよいことはいうまでもない。
【図面の簡単な説明】
【００７３】
【図１】本発明に係る番組録画装置と番組情報サーバを有する放送システムを示す概略図であり、第１の例を示している。
【図２】本発明に係る番組録画装置と番組情報サーバを有する放送システムを示す概略図であり、第２の例を示している。
【図３】本発明の番組録画装置と番組情報サーバを有する放送システムを示す日本地図を模した概略図である。
【図４】本発明に係る移動体端末を示すブロック図である。
【図５】本発明に係る番組情報サーバを示すブロック図である。
【図６】本発明に係る番組録画装置を示すブロック図である。
【図７】本発明に係る番組情報サーバに記憶されている番組表を示す概要図である。
【図８】本発明に係る番組情報サーバに記憶されている番組表を示す詳細図である。
【図９】本発明に係る移動体端末が送信するリクエストメッセージを示す概要図である。
【図１０】本発明に係る第１の動作を示すシーケンス図である。
【図１１】本発明に係る第２の動作を示すシーケンス図である。
【符号の説明】
【００７４】
１００        番組情報サーバ
１０１        専用線通信部
１０２        記憶部
１０３        通信部
１０４        システム制御部
２００        番組録画装置
２０１        通信部
２０２        録画部
２０３        記憶部
２０４        システム制御部
３００        テレビジョン放送局（Ａ）
３１０        テレビ塔（Ａ）
４００        テレビ受像機
５００        移動体通信網
６００        基地局
６１０        制御局
６２０        ホームロケーションレジスタ（ＨＬＲ）
７００        移動体端末
７０１        アンテナ
７０２        無線部
７０３        受話部
７０４        送話部
７０５        入力部
７０６        表示部
７０７        放送アンテナ
７０８        テレビジョン受信部
８００        公衆通信網
９００        自宅
１０００       テレビジョン放送局（Ｂ）
１０１０       テレビ塔（Ｂ）
【図１】
2006067374.tif 000003
【図２】
2006067374.tif 000004
【図３】
2006067374.tif 000005
【図４】
2006067374.tif 000006
【図５】
2006067374.tif 000007
【図６】
2006067374.tif 000008
【図７】
2006067374.tif 000009
【図８】
2006067374.tif 000010
【図９】
2006067374.tif 000011
【図１０】
2006067374.tif 000012
【図１１】
2006067374.tif 000013